(57)【要約】【課題】拡大観察中にその場で関心部位の正確なＮ／Ｃ比や大きさを認識可能な光学的プローブ型観察装置を提供すること。【解決手段】光学的プローブ型観察装置１は、高倍率撮像手段に接続され、高倍率で撮像した体腔内面Ｘの画像処理を行う高倍率画像処理手段２８と、撮像した体腔内面Ｘの拡大された画像を表示する高倍率表示手段３０と、高倍率表示手段３０に表示された体腔内面Ｘの画像における特定の位置又は領域を指定するマウス（指示手段）３１とを備え、高倍率画像処理手段２８は、撮像した体腔内面Ｘの画像に基づいてこの画像に含まれる細胞の細胞核と細胞質とのＮ／Ｃ比を算出する演算部４２を備えている構成とした。【選択図】      図１
2004357909.tif 000002
【特許請求の範囲】
【請求項１】
被検体を観察する内視鏡の処置具チャンネルに挿通可能なプローブ本体と、
該プローブ本体の先端に設けられ、前記内視鏡の観察用光学系よりも高倍率な光学系を介して前記被検体を撮像可能な高倍率撮像手段と、
該高倍率撮像手段に接続され、撮像した前記被検体の画像処理を行う高倍率画像処理手段と、
撮像した前記被検体の画像を表示する高倍率表示手段とを備え、
前記高倍率画像処理手段が、撮像した前記被検体の画像に基づいて該画像に含まれる細胞の細胞核と細胞質との面積比を算出する演算部を備え、
前記高倍率表示手段が、算出された前記面積比を表示することを特徴とする光学的プローブ型観察装置。
【請求項２】
前記演算部が、一定の明度を基準として前記被検体の画像を２値化処理し、前記細胞核と前記細胞質とを判別して前記算出を行うことを特徴とする請求項１に記載の光学的プローブ型観察装置。
【請求項３】
前記高倍率表示手段により表示された前記被検体の画像における特定の位置或いは領域を指定する指示手段を備え、
前記演算部が、前記指示手段によって指定された位置或いは領域内の前記細胞核と前記細胞質との面積比を演算することを特徴とする請求項１又は２に記載の光学的プローブ型観察装置。
【請求項４】
前記高倍率撮像手段が固体撮像素子を備え、
前記演算部が、前記細胞核に相当する部分の画素数と前記細胞質に相当する部分の画素数とから前記面積比を算出することを特徴とする請求項１から３の何れか一つに記載の光学的プローブ型観察装置。
【請求項５】
被検体を観察する内視鏡の処置具チャンネルに挿通可能なプローブ本体と、
該プローブ本体の先端に設けられ、前記内視鏡の観察用光学系よりも高倍率な光学系を介して前記被検体を撮像可能な高倍率撮像手段と、
該高倍率撮像手段に接続され、撮像した前記被検体の画像処理を行う高倍率画像処理手段と、
撮像した前記被検体の画像を表示する高倍率表示手段とを備え、
前記高倍率表示手段が、予め前記高倍率撮像手段で実際に撮像した際の倍率情報に基づいてスケールを前記画像と共に表示することを特徴とする光学的プローブ型観察装置。
【請求項６】
前記倍率情報を予め記憶する記憶部を備え、
前記高倍率表示手段が、前記記憶部の倍率情報に基づいて前記スケールを表示することを特徴とする請求項５に記載の光学的プローブ型観察装置。
【発明の詳細な説明】
【０００１】
【発明の属する技術分野】
本発明は、内視鏡装置とともに被検体観察に使用する光学的プローブ型観察装置に関する。
【０００２】
【従来の技術】
従来より、細胞や腺構造を始めとする粘膜上皮の組織学的観察をｉｎ  ｖｉｖｏ（生きたまま）で行うことが、癌の早期発見、早期診断において重要であるとして注目されている。このような要求に応えるためには、通常の倍率の内視鏡観察に加えて、組織学的な観察レベルの倍率（一般的な顕微鏡で２０〜１０００倍程度）の拡大鏡観察が必要である。このような要求に応える装置として、通常の倍率の観察手段と、高倍率の拡大観察とを並列に有する内視鏡が開示されている（例えば、特許文献１参照。）。
この内視鏡によれば、通常の観察手段による通常の倍率での観察を行いながら、癌細胞などの疑いのある部位を拡大観察手段により高倍率で観察することにより、ｉｎ  ｖｉｖｏで組織学的な観察を行うことができる。
【０００３】
また、この際、観察部位の大きさを正確に測定するために、高倍率撮像手段の焦点距離に応じて決定されるスケール情報を予め記憶させて、この焦点距離に応じたスケール表示を観察部位とともに画面に表示させるものが提案されている（例えば、特許文献２参照。）。
【０００４】
【特許文献１】
米国特許第５８４６１８５号明細書
【特許文献２】
特開２００２−１５３４２１号公報
【０００５】
【発明が解決しようとする課題】
しかしながら、上記従来の技術においては、病理判断を細胞核と細胞質との面積比（以下、Ｎ／Ｃ比と呼ぶ。）によって行う場合に、スケール表示がされていたとしても、細胞核等の大きさ等を画面上のスケール表示に基づいてその場で算出して正確なＮ／Ｃ比を得ることが困難であった。そのため、拡大観察中にＮ／Ｃ比をリアルタイムで知ることができず、病理診断結果が出るまでに時間を要していた。
また、例えば、特許文献１に記載の技術の場合、スケール情報が予め記憶させた光学系の設計上の焦点距離に依存しているため、高倍率撮像手段の焦点距離に僅かな誤差が含まれていても、拡大倍率が大きい場合にはこの誤差が拡大されてしまい、依然として正確な大きさを把握することが困難であった。
本発明は上記事情に鑑みて成されたものであり、拡大観察中にその場で関心部位の正確なＮ／Ｃ比や大きさを認識可能な光学的プローブ型観察装置を提供することを目的とする。
【０００６】
【課題を解決するための手段】
本発明は、上記課題を解決するため、以下の手段を採用する。
本発明の光学的プローブ型観察装置は、被検体を観察する内視鏡の処置具チャンネルに挿通可能なプローブ本体と、該プローブ本体の先端に設けられ、前記内視鏡の観察用光学系よりも高倍率な光学系を介して前記被検体を撮像可能な高倍率撮像手段と、該高倍率撮像手段に接続され、撮像した前記被検体の画像処理を行う高倍率画像処理手段と、撮像した前記被検体の画像を表示する高倍率表示手段とを備え、前記高倍率画像処理手段が、撮像した前記被検体の画像に基づいて該画像に含まれる細胞の細胞核と細胞質との面積比を算出する演算部を備え、前記高倍率表示手段が、算出された前記面積比を表示することを特徴とする。
【０００７】
この光学的プローブ型観察装置は、高倍率画像処理手段が被検体として捉えた細胞の細胞核と細胞質との面積比を算出する演算部を備えるとともに、高倍率表示手段が算出された面積比を表示するので、被検体の画像とともに算出した面積比をその場で認識することができる。
【０００８】
本発明は、前記光学的プローブ型観察装置であって、前記演算部が、一定の明度を基準として前記被検体の画像を２値化処理し、前記細胞核と前記細胞質とを判別して前記算出を行うことが好ましい。
この光学的プローブ型観察装置は、被検体の観察画像を一定の明度を基準として２値化処理するので、比較的小さい明度で表示される細胞核に相当する部分を一定の明度以下の領域とし、かつ、比較的大きい明度で表示される細胞質に相当する部分を一定の明度以上の領域とすることによって両者の面積比を容易に算出することができる。
【０００９】
本発明は、前記光学的プローブ型観察装置であって、前記高倍率表示手段により表示された前記被検体の画像における特定の位置或いは領域を指定する指示手段を備え、前記演算部が、前記指示手段によって指定された位置或いは領域内の前記細胞核と前記細胞質との面積比を演算することが好ましい。
この光学的プローブ型観察装置は、指示手段を備え、演算部が、前記指示手段によって指定された位置或いは領域内の細胞核と細胞質との面積比を演算するので、指示手段によって任意の細胞壁を指定することによってその面積比を算出する領域が明確になるとともに、その細胞壁内の細胞核と細胞質との面積比を知ることができる。
【００１０】
本発明は、前記光学的プローブ型観察装置であって、前記高倍率撮像手段が固体撮像素子を備え、前記演算部が、前記細胞核に相当する部分の画素数と前記細胞質に相当する部分の画素数とから前記面積比を算出することが好ましい。
この光学的プローブ型観察装置は、上記構成を有するので、細胞核と細胞質とが占めるそれぞれの画素数を数えることによって面積比を算出することができ、面積比を短時間で算出することができる。
【００１１】
本発明は、前記光学的プローブ型観察装置であって、被検体を観察する内視鏡の処置具チャンネルに挿通可能なプローブ本体と、該プローブ本体の先端に設けられ、前記内視鏡の観察用光学系よりも高倍率な光学系を介して前記被検体を撮像可能な高倍率撮像手段と、該高倍率撮像手段に接続され、撮像した前記被検体の画像処理を行う高倍率画像処理手段と、撮像した前記被検体の画像を表示する高倍率表示手段とを備え、前記高倍率表示手段が、予め前記高倍率撮像手段で実際に撮像した際の倍率情報に基づいてスケールを前記画像と共に表示することを特徴とする。
【００１２】
この光学的プローブ型観察装置は、予め高倍率撮像手段で実際に撮像した際の倍率情報に基づいて高倍率表示手段にスケール表示させるので、設計上の数値のみならず個々の高倍率撮像手段が有する固有の誤差や特性をふまえた高精度なスケールを作成することができ、表示された画像の大きさをより正確に知ることができる。
【００１３】
本発明は、前記光学的プローブ型観察装置であって、前記倍率情報を予め記憶する記憶部を備え、前記高倍率表示手段が、前記記憶部の倍率情報に基づいて前記スケールを表示することが好ましい。
この光学的プローブ型観察装置は、高倍率撮像手段の倍率情報を予め記憶する記憶部を備えているので、高倍率撮像手段の倍率情報を使用の都度入力する必要がなく、高精度なスケール表示を容易に行うことができる。
【００１４】
【発明の実施の形態】
本発明の第１の実施形態について、図１から図３を参照して説明する。
本実施形態に係る光学的プローブ型観察装置１は、図１に示すように、内視鏡システム２内で使用される。この内視鏡システム２は、体腔内に挿入して通常観察を行う内視鏡３を備えている。
内視鏡３は、体腔内に挿入される内視鏡本体５と、この内視鏡本体５に照明光を供給し、撮像された内視鏡画像信号を処理する内視鏡画像処理手段６と、この内視鏡画像処理手段６によって処理された画像を表示する内視鏡表示手段７とを備えている。
【００１５】
内視鏡本体５は、図１及び図２に示すように、フレキシブルに湾曲可能な長尺の挿入部８と、その先端に内臓された通常観察用の観察用光学系１０と、内視鏡画像処理手段６から供給された照明光を挿入部８先端から照射する内視鏡照明部１１と、挿入部８の後端に設けられた操作部１２とを備えている。
また、内視鏡本体５は、操作部１２近傍に設けられた処置具チャンネル口１３から挿入部８先端まで挿入部８の長さ方向に貫通して形成された処置具チャンネル１５を備えている。
【００１６】
観察用光学系１０は、図２に示すように、挿入部８の先端に内蔵された固体撮像素子（以下、ＣＣＤと呼ぶ。）１６と、ＣＣＤ１６の前方に配設された対物レンズ等の光学素子１７とを備えている。ＣＣＤ１６に接続された信号ケーブル１８は、挿入部８内を通して挿入部８の後端から引き出され、内視鏡画像処理手段６に接続されている。
内視鏡照明部１１は、挿入部８の先端に配設された照明レンズ２０と、内視鏡画像処理手段６から供給された照明光を照明レンズ２０まで導くライトガイド２１とを備えている。
【００１７】
操作部１２は、図１に示すように、複数のスイッチ２２と操作ノブ２３とを備えている。スイッチ２２は、所望の機能を設定可能なプログラマブルなスイッチであって、操作ノブ２３は、挿入部８を任意の方向に湾曲させて、その先端に配されている観察用光学系１０の対向する方向をコントロールする。
【００１８】
光学的プローブ型観察装置１は、図１及び図２に示すように、内視鏡本体５に設けられた処置具チャンネル１５に挿通可能なプローブ本体２５と、プローブ本体２５の先端部に設けられ、内視鏡装置２の観察用光学系１０よりも高倍率な光学系を介して体腔内面（被検体）Ｘを撮像可能な高倍率撮像手段２６と、高倍率撮像手段２６の撮像範囲を照明するプローブ照明部２７とを備えている。また、光学的プローブ型観察装置１は、高倍率撮像手段２６に接続され、高倍率で撮像した体腔内面Ｘの画像処理を行う高倍率画像処理手段２８と、撮像した体腔内面Ｘの拡大された画像を表示する高倍率表示手段３０と、高倍率表示手段３０に表示された体腔内面Ｘの画像における特定の位置又は領域を指定するマウス（指示手段）３１とを備えている。
【００１９】
高倍率撮像手段２６は、図２に示すように、プローブ本体２５の先端に配設された高倍率対物レンズ３２と、その結像位置に固定されたＣＣＤ３３とを備えている。ＣＣＤ３３には、信号ケーブル３５が接続されており、この信号ケーブル３５は、プローブ本体２５の長手方向にプローブ本体２５内を貫通してプローブ本体２５の後端側に引き出され、高倍率画像処理手段２８に接続されている。
プローブ照明部２７は、プローブ本体２５の先端に配設された高倍率撮像手段２６の周囲をリング状に囲むように配設されたライトガイド３６と、ライトガイド３６に照明光を導く光ファイバ３７とを備えている。
【００２０】
高倍率画像処理手段２８は、図１に示すように、プローブ照明部２７に照明光を供給する光源装置３８と、ＣＣＤ３３に接続された信号ケーブル３５の後端に接続され、ＣＣＤ３３により撮像された映像信号を処理する映像信号処理部４０と、撮像した体腔内面Ｘの画像に基づいてこの画像に含まれる細胞の細胞核と細胞質とのＮ／Ｃ比を算出する演算部４２とを備えている。
【００２１】
映像信号処理部４０は、図３に示すように、ＣＣＤ３３を駆動するＣＣＤ駆動回路４３と、ＣＣＤ３３から出力される撮像信号に対して信号処理を行い映像信号に変換する映像処理回路４５とを備えている。
ＣＣＤ駆動回路４３は、画像入力コマンドに基づきＣＣＤ駆動信号をＣＣＤ３３へ送る。
映像処理回路４５は、ＣＣＤ３３からの撮像信号を入力し、信号処理した映像信号を高倍率表示手段３０及び演算部４２へ出力する。
【００２２】
演算部４２は、図４に示すように、メモリ４７と制御回路５１とを備えている。
このメモリ４７は、映像処理回路４５から送られてきた映像信号を一時的に静止画像として保存するとともに、Ｎ／Ｃ比表示の際に高倍率表示手段３０に表示された静止画像中の細胞における細胞壁等を、検査を行う医師等にマウス３１でトレースしてもらうためのカーソルを表示させるものである。
制御回路５１は、ＣＣＤ駆動回路４３に画像入力停止を指示してメモリ４７に保存されたＮ／Ｃ比表示する静止画像を選択するとともに、マウス３１によってトレースされた範囲内の画像の映像信号を一定の明度を基準として画素毎に２値化処理する。また、制御回路５１は、この２値化処理された映像信号を画素毎に算出して画素数の比率を演算するように構成されている。
【００２３】
次に、以上の構成からなる本実施形態に係る光学的プローブ型観察装置１の使用方法について説明する。
本実施形態に係る光学的プローブ型観察装置１を用いて体腔内の観察を行うには、まず、内視鏡本体５の処置具チャンネル１５内に光学的プローブ型観察装置１のプローブ本体２５を挿入して被験者の体腔内に挿入する。この状態で、内視鏡画像処理手段６及び高倍率画像処理手段２８を作動させる。そして、内視鏡本体５の操作部１２に設けられた操作ノブ２３を操作して、内視鏡照明部１１、観察用光学系１０、プローブ照明部２７、及び高倍率撮像手段２６を所望の方向に向ける。
【００２４】
これにより、照明光が挿入部８先端に配設されたライトガイド２１から出射され、内視鏡３の観察範囲を照明する。そして、内視鏡画像処理手段６の作動によりＣＣＤ１６が駆動され、このＣＣＤ１６によって取得された撮像信号が、信号ケーブル１８を介して内視鏡画像処理手段６に送られて映像信号に変換され、生成された映像信号が内視鏡表示手段７に送られて、図１に示すように、内視鏡画像Ａとして表示される。
【００２５】
一方、プローブ本体２５は、その先端を内視鏡本体５の挿入部８の先端面から突出させた状態で体腔内面Ｘに密着させられているので、プローブ照明部２７のライトガイド３６から出射された照明光は、光学的プローブ型観察装置１の観察範囲を集中的に照明する。そして、映像信号処理部４０のＣＣＤ駆動回路４３の作動によりＣＣＤ３３が駆動される。
このとき、高倍率対物レンズ３２によって拡大された体腔内面Ｘの画像がＣＣＤ３３において取得されて撮像信号となり、この撮像信号が信号ケーブル３５を介して映像信号処理部４０に送られる。そして、映像処理回路４５にて映像信号に変換され、生成された映像信号のうち高倍率表示手段３０に送られたものが図１に示すように高倍率画像Ｂとして表示される。
【００２６】
この場合において、内視鏡表示手段７及び高倍率表示手段３０を見て検査を行う医師が、図１に示す高倍率表示手段３０に表示された高倍率画像Ｂ内の体腔内面Ｘにおける細胞ＹのＮ／Ｃ比について検査する場合、高倍率表示手段３０からＮ／Ｃ比表示コマンドを入力する。
このとき、制御回路５１によって映像信号処理部４０への映像信号の入力停止が指示され、Ｎ／Ｃ比表示コマンドが入力された直前の画像をメモリ４７から呼び出して高倍率表示手段３０に静止画像として表示させる。この静止画像に対して、医師はマウス３１を操作して所望の細胞Ｙの細胞壁ＹＸをトレースする。
【００２７】
さらに、制御回路５１が、トレースされた領域内の映像信号を一定の明度を基準として画素毎に２値化処理して、一定の明度以下として識別された画素数αをカウントする。一方、マウス３１によってトレースされた細胞壁ＹＸ内の画素数βも制御回路５１にてカウントされる。
ここで、細胞核ＹＹの映像部分の明度は、細胞質ＹＺの映像部分の明度よりも小さいことから、αは細胞核ＹＹの占める面積、及び、β−αは細胞質ＹＺの占める面積に相当する。
こうして、α／（β−α）の演算を行うことによって、Ｎ／Ｃ比を算出する。得られたＮ／Ｃ比は、メモリ４７に送られて静止画像に書き込まれ、図５に示すように、高倍率表示手段３０に静止画像とともに表示される。
【００２８】
この光学的プローブ型観察装置１によれば、Ｎ／Ｃ比を演算する演算部４２を備えているので、撮影した細胞ＹのＮ／Ｃ比を自動的に算出するとともに、細胞Ｙの拡大画像とともにＮ／Ｃ比が同一の画面上で表示されるので、その場で所望の細胞のＮ／Ｃ比認識することができる。
また、通常、細胞核ＹＹは、明度が比較的小さい部分として表示され、細胞質ＹＺは、明度が比較的大きい部分として表示される。このことから、一定の明度以下の領域を細胞核ＹＹとし、かつ、一定の明度以上の領域を細胞質ＹＺとして、それぞれの占める領域を比較することによってＮ／Ｃ比を算出することができる。
さらに、このとき、制御回路５１にて、映像信号を一定の明度を基準として２値化処理しているので、２値化された信号別に画素数を算出して比較することにより容易にＮ／Ｃ比を算出することができる。
【００２９】
なお、上記実施形態において、一定の明度以上として識別された画素数γが占める面積は、細胞質ＹＺが占める面積に相当するため、このγをカウントしてα／γの演算を行うことによって上述したＮ／Ｃ比を算出してもよい。
【００３０】
次に、本発明に係る第２の実施形態について、図６から図８を参照して説明する。なお、以下の説明において、上記実施形態において説明した構成要素には同一符号を付し、その説明は省略する。
第２の実施形態が上記第１の実施形態と異なる点は、第１の実施形態に係る光学的プローブ型観察装置１には、被検体の大きさを知るためにＮ／Ｃ比を算出する演算部４２が設けられているのに対して、第２の実施形態に係る光学的プローブ型観察装置５５には、スケール表示を作成する演算部５６が設けられているとした点である。
【００３１】
この光学的プローブ型観察装置５５が備える高倍率画像処理手段５７は、図６に示すように、光源装置３８と、映像信号処理部４０と、予め高倍率撮像手段２６で実際に撮像した際の倍率情報に基づいてスケール表示を作成する演算部５６を備えている。このスケール表示は、高倍率表示手段３０に画像とともに表示される。
また、光学的プローブ型観察装置５５は、例えば、特開２００２−３４９０６号公報（第２図）で開示されているような不揮発性メモリであって倍率情報を予め記憶しておく記憶部５８をプローブ本体２５に備えている。
この倍率情報とは、光学的プローブ型観察装置５５を体腔内面Ｘに接触させたときに観察される被検体が実際にどのくらいの大きさであるかの高倍率撮像手段２６固有の情報で、例えば、１００μｍに対応する画素数や設計値及びその誤差等の倍率に関する情報であって、出荷前に予め工場等で実際に撮像して確認した値である。
【００３２】
演算部５６は、図７に示すように、記憶部５８に記憶された倍率情報を読み取る情報読取部６０と、この情報に基づきスケールＳを作成する表示作成部６１と、作成されたスケールＳを書き込む表示メモリ６２と、映像信号処理部４０から出力された映像信号に表示メモリ６２に書き込まれたスケールＳを合成する映像信号切替部６３と、この映像信号切替部６３に映像信号切替指示をする制御信号生成部６５とを備えている。
情報読取部６０は、倍率情報の読み取りとともに、例えば、高倍率表示手段３０から入力されるスケール表示指示に基づき、表示作成部６１へのスケールＳ作成指示を行う。
【００３３】
次に、以上の構成からなる本実施形態に係る光学的プローブ型観察装置５５の使用方法について説明する。
本実施形態においても、第１の実施形態と同様に、内視鏡３とともに光学的プローブ型観察装置５５を体腔内に挿入するとともに、内視鏡３によって撮影された画像を内視鏡表示手段７に表示する。
【００３４】
一方、プローブ本体２５は、処置具チャンネル１５に挿入されると、情報読取部６０が記憶部５８に記憶された倍率情報を読み取る。
そして、内視鏡本体５の挿入部８とともに体腔内に挿入されると、プローブ照明部２７のライトガイド３６から出射した照明光で光学的プローブ型観察装置５５の観察範囲を集中的に照明する。そして、映像信号処理部４０のＣＣＤ駆動回路４３の作動によりＣＣＤ３３を駆動して、高倍率対物レンズ３２によって拡大された体腔内面Ｘの画像をＣＣＤ３３にて取得する。この撮像信号を信号ケーブル３５を介して映像信号処理部４０に送る。そして、映像処理回路４５にて映像信号に変換され、生成された映像信号のうち高倍率表示手段３０に送られたものが高倍率画像Ｃとして表示される。
【００３５】
この場合において、内視鏡表示手段７及び高倍率表示手段３０を見て検査を行う医師が、高倍率表示手段３０に表示された高倍率画像Ｃ内の細胞Ｙを検査するに際しその大きさを正確に知るために、高倍率表示手段３０からスケール表示コマンドを入力する。
この際、情報読取部６０は、表示作成部６１にスケールＳ作成の指示が出されるとともに、記憶部５８から読み取った倍率情報を送信する。そして、表示作成部６１では送られた情報及びコマンドからスケールＳを作成し表示メモリ６２に書き込む。また、制御信号生成部６５に対して映像信号切替指示を送る。
【００３６】
映像信号切替部６３は、表示メモリ６２に書き込まれたスケールＳを呼び出すとともに、制御信号生成部６５からの指示に基づきスケール表示を指示したときの映像信号にスケールＳを合成する。
こうして、図８に示すように、高倍率表示手段３０に細胞Ｙの画像とともにスケールＳが表示される。
なお、スケール表示の書式としては、画面上の縦横の大きさを表すものや内視鏡の形状サイズを表すもの等、数種類のパターンを切り替えられるようにしておいて、スケール表示コマンドを入力する際に画面に表示するスケールの書式も合わせて入力できるようにしてもよい。
【００３７】
この光学的プローブ型観察装置５５によれば、予め高倍率撮像手段２６で実際に撮像した際の倍率情報に基づいてスケールＳを作成するので、設計上の数値のみならず個々の高倍率撮像手段２６が有する固有の誤差や特性をふまえた高精度なスケール表示を作成することができ、表示された体腔内面Ｘの実際の大きさを正確に知ることができる。
また、実測した高倍率撮像手段２６の倍率情報を予め記憶する記憶部５８を備えているので、高倍率撮像手段２６の倍率情報を使用の都度入力する必要がなく、高精度なスケール表示を容易に行うことができる。
【００３８】
なお、本発明の技術範囲は上記実施の形態に限定されるものではなく、本発明の趣旨を逸脱しない範囲において種々の変更を加えることが可能である。
例えば、Ｎ／Ｃ比表示コマンド及びスケール表示コマンドは、高倍率表示手段３０から入力するものとしているが、内視鏡３の操作部１２に設けられたスイッチ２２に連動させて対応させてもよい。
また、内視鏡画像Ａと高倍率画像Ｂ、Ｃとをそれぞれ別の表示手段に出力しているが、両者を１つの表示手段で同時に表示させてもよい。
さらに、内視鏡画像処理手段６と高倍率画像処理手段２８とを別々に配設しているが、両者を一つの装置として機能を統合させても構わない。
【００３９】
【発明の効果】
以上説明した本発明においては以下の効果を奏する。
本発明の光学的プローブ型観察装置によれば、拡大観察中にその場で関心部位の面積比や正確な大きさを高精度に認識することができる。
その結果、画像情報に基づいた診断が検査中に可能となり、短時間で正確な処置を行うことができる。
【図面の簡単な説明】
【図１】本発明の第１の実施形態に係る光学的プローブ型観察装置を含む内視鏡システム全体を示す図である。
【図２】本発明の第１の実施形態に係る光学的プローブ型観察装置のプローブ本体先端を示す断面図である。
【図３】本発明の第１の実施形態に係る映像信号処理部を示すブロック図である。
【図４】本発明の第１の実施形態に係る演算部を示すブロック図である。
【図５】本発明の第１の実施形態に係る高倍率表示手段におけるＮ／Ｃ比が表示された画面を示す図である。
【図６】本発明の第２の実施形態に係る光学的プローブ型観察装置を含む内視鏡システム全体を示す図である。
【図７】本発明の第２の実施形態に係る演算部を示すブロック図である。
【図８】本発明の第２の実施形態に係る高倍率表示手段におけるスケール表示された画面を示す図である。
【符号の説明】
１、５５  光学的プローブ型観察装置
３  内視鏡
１０  観察用光学系
１５  処置具チャンネル
１６、３３  ＣＣＤ（固体撮像素子）
２５  プローブ本体
２６  高倍率撮像手段
２８、５７  高倍率画像処理手段
３０  高倍率表示手段
３１  マウス（指示手段）
４２、５６  演算部
５８  記憶部
【図１】
2004357909.tif 000003
【図２】
2004357909.tif 000004
【図３】
2004357909.tif 000005
【図４】
2004357909.tif 000006
【図５】
2004357909.tif 000007
【図６】
2004357909.tif 000008
【図７】
2004357909.tif 000009
【図８】
2004357909.tif 000010